(57)【要約】      （修正有）【課題】熱交換性能を向上させた家庭用エアコン室外機を提供する。【解決手段】据立て枠フレーム２０をエアコン室外機Ｂにおける送風ファン１６の吸気口１７側へ、その室外機Ｂの熱交換器１５と隣接する並列状態に据え立て固定する。エアコン室内機から建物の外部へ垂下するドレンホース１２の下端部を、上記枠フレーム２０の上面中央部に付属する管接手２９の先端部へ連通接続して、その管接手２９から上記枠フレーム２０内の吸水性多孔ブロック２１へ徐々に浸透した保水状態のドレン水を、その吸水性多孔ブロック２１の通気孔３７へ吸入・流通する上記送風ファン１６の空気による冷気Ｆとして、エアコン室外機Ｂの上記熱交換器１５へ自づと積極的に引き込み接触させ得るように定めた。【選択図】図２
0003164501.tif 000002
【実用新案登録請求の範囲】
【請求項１】
金属板からエアコン室外機（Ｂ）の吸気口（１７）と同等か又はこれよりも大きなほぼ四角形に作成された据立て枠フレーム（２０）と、その枠フレーム（２０）の内部へ積み重なる状態に収容された保水機能と通気孔（３７）を有する複数の吸水性多孔ブロック（２１）と、その最上段に位置する吸水性多孔ブロック（２１）の上面並びに隣り合う吸水性多孔ブロック（２１）同士の上下相互間へ、各々載置状態に介挿セットされた平滑な散らし導水プレート（２２）と、上記枠フレーム（２０）の上面中央部へ差し込み状態に固定された管接手（２９）とから成り、
上記枠フレーム（２０）をエアコン室外機（Ｂ）における送風ファン（１６）の吸気口（１７）側へ、その室外機（Ｂ）の熱交換器（１５）と隣接する並列状態に据え立て固定すると共に、エアコン室内機（Ａ）から建物の外部へ垂下するドレンホース（１２）の下端部を、上記管接手（２９）の先端部へ連通状態に接続使用して、
その管接手（２９）から上記枠フレーム（２０）内の吸水性多孔ブロック（２１）へ徐々に浸透した保水状態のドレン水を、その吸水性多孔ブロック（２１）の通気孔（３７）へ吸入・流通する上記送風ファン（１６）の空気による冷気（Ｆ）として、エアコン室外機（Ｂ）の上記熱交換器（１５）へ自づと積極的に引き込み接触させ得るように定めたことを特徴とするエアコン室外機の補助冷却器具。
【請求項２】
吸水性多孔ブロック（２１）をビスコーススポンジやフローラルフォームなどの各種スポンジ、軟質ポリウレタンフォーム、その他の連続気泡構造の合成樹脂から直方体に成形すると共に、その成形品の全体に本質構造の気泡よりも大きな多数の通気孔（３７）をほぼ均一な分布状態に貫通形成したことを特徴とする請求項１記載のエアコン室外機の補助冷却器具。
【請求項３】
散らし導水プレート（２２）をステンレス鋼板や合成樹脂板、その他の発錆しない平滑な板材から、吸水性多孔ブロック（２１）の上面よりも小面積の大きさ・形状に作成することにより、管接手（２９）から据立て枠フレーム（２０）内の吸水性多孔ブロック（２１）に浸透するドレン水を、その吸水性多孔ブロック（２１）の左右横方向（Ｘ）のみならず、前後方向（Ｙ）並びに下方（Ｚ）にも広く分散させて、エアコン室外機（Ｂ）の熱交換器（１５）を全面的にすばやく冷却し得るように定めたことを特徴とする請求項１記載のエアコン室外機の補助冷却器具。
【請求項４】
据立て枠フレーム（２０）内の最上段に位置する吸水性多孔ブロック（２１）の上面へ、載置状態に介挿セットされる散らし導水プレート（２２）だけを、セーム革やその他の柔軟性がある吸水被膜（３８）により包み込んだことを特徴とする請求項３記載のエアコン室外機の補助冷却器具。
【請求項５】
据立て枠フレーム（２０）をステンレス鋼板やその他の防錆処理された金属板からほぼ四角形に組立一体化して、その正面を正面グリル（２６）により覆う一方、
同じく枠フレーム（２０）の背面へ背面グリル（２３）を着脱自在に取り付けることにより、その枠フレーム（２０）に対する吸水性多孔ブロック（２１）と散らし導水プレート（２２）の出し入れや交換を行なえるように定めたことを特徴とする請求項１記載のエアコン室外機の補助冷却器具。
【考案の詳細な説明】
【技術分野】
【０００１】
本考案は一般家庭用エアコン室外機の補助冷却器具に係り、殊更室内機から排出されるドレン水を有効に活用して、室外機の熱交換性能を向上させるために工夫したものである。
【背景技術】
【０００２】
一般家庭の冷房用エアコン（エアーコンディショナー）では室外機のコンプレッサーにより冷媒を圧縮して、高圧高温のガスとし、そのガスを室外機の熱交換器により冷やして液化する。そして、その液化された冷媒を室内機へ送り、膨張弁により膨張させて、低圧低温のガスとし、その低温化された冷媒を用いて、室内機の熱交換器により室内の空気を冷やしている。
【０００３】
その場合、エアコン室外機の熱交換器は送風ファンにより空冷されており、その冷媒の冷却能力が決して高くない。特に猛暑日が続く夏期や建物の密集する大都会などでは、上記送風ファンを能力一杯でフル運転するも、その室外機の熱交換器を冷やすことは困難であり、延いては室内の空気を目標の設定温度まで早く確実に冷却することができず、運転停止してしまうことさえも起る。
【０００４】
他方、エアコン室内機の熱交換器に結露（凝縮水）が生じ、そのドレン水をドレンホースにより室外へ排出している通例であるが、これを有効に活用して、室外機の熱交換器へ直接に散水、滴下又は吹き付ける技術が、下記特許文献１〜３によって提案されている。
【０００５】
しかし、これらの３件は何れもエアコン室外機の内部に、ドレン水の散布、滴下又は吹き付け構造を設置しているため、エアコンメーカーでなければ製造、販売できず、既存のエアコン室外機へ所謂後付け式として支障なく適用実施することが不可能である。
【０００６】
この点、下記特許文献４、５に開示された２件の技術は、既存のエアコン室外機へ後付け使用できる意味において、本考案に最も近似する公知技術であると考えられる。
【先行技術文献】
【特許文献】
【０００７】
【特許文献１】特開２０００−７４４１１号公報
【特許文献２】特開２００９−１５０５６４号公報
【特許文献３】特開２００９−２５０５１９号公報
【特許文献４】特許第３７７１２１７号公報
【特許文献５】特開２００２−２５７３７８号公報
【考案の概要】
【考案が解決しようとする課題】
【０００８】
ところが、上記特許文献４の冷却用器具（３０）はエアコン室外機（１３）の熱交換器（１４）に比して、非常に小さい半円筒形態品であり、図１〜３のように室外機（１３）における中央部分だけの外側へ取り付けられ、そのブラシ状の導水部（６０）が熱交換器（１４）の中途高さ位置にある冷媒パイプ（１４ｐ）へ部分的に接触して、ドレン水を滴下するに過ぎないため、エアコン室外機（１３）における熱交換器（１４）の全体を速やかに効率良く冷却することができない。そのドレン管接続部（５０）から半円筒形本体部（４０）に落下したドレン水を、熱交換器（１４）における左右横方向（幅方向）や上下方向（高さ方向）へ、自づと万遍なく流通・波及させることは到底不可能である。
【０００９】
又、上記特許文献５の冷却装置（１）はエアコン屋外ユニット（８）における送風ファン（８１）の言わば排気側（風下側）に取り付け固定されて、屋外ユニット（８）から放出される熱排風（９）の温度を下げるものであり、熱交換器（８２）を直かに効率良く冷却するするものではない。
【００１０】
しかも、吸水性の高い繊維シートから線状突起のセパレーター（３２）が固着状態に成形された吸水シート（３）の多数を、その相互間隙（３１）の確保される状態に積層した特殊・高価な吸水体ユニット（２）が使用されており、これを容易に交換することもできないため、一般家庭向けのエアコン屋外ユニット用としては普及上の隘路となる。
【００１１】
更に、ケース（１０）内の下端部には水受け容器（４）が収容されており、上記吸水シート（３）の下端部がその水受け容器（４）内の水に漬け込まれて、その水を吸水シート（３）により吸い上げるようになっているが、これを吸水体ユニット（２）の全体へ万遍なく吸い上げて浸透させることは困難であり、その水受け容器（４）に貯溜されるドレン水が少量であったり、ましてこれが排熱風により乾燥してしまうおそれがあったりすることとも相俟って、やはりエアコン屋外ユニット（８）の熱交換器（８２）を効率良く冷却することができない。
【課題を解決するための手段】
【００１２】
本考案はこのような課題の改良を目的としており、あくまでも一般家庭用のエアコン室外機を対象として、その目的を達成するために、請求項１では金属板からエアコン室外機の吸気口と同等か又はこれよりも大きなほぼ四角形に作成された据立て枠フレームと、その枠フレームの内部へ積み重なる状態に収容された保水機能と通気孔を有する複数の吸水性多孔ブロックと、その最上段に位置する吸水性多孔ブロックの上面並びに隣り合う吸水性多孔ブロック同士の上下相互間へ、各々載置状態に介挿セットされた平滑な散らし導水プレートと、上記枠フレームの上面中央部へ差し込み状態に固定された管接手とから成り、
【００１３】
上記枠フレームをエアコン室外機における送風ファンの吸気口側へ、その室外機の熱交換器と隣接する並列状態に据え立て固定すると共に、エアコン室内機から建物の外部へ垂下するドレンホースの下端部を、上記管接手の先端部へ連通状態に接続使用して、
【００１４】
その管接手から上記枠フレーム内の吸水性多孔ブロックへ徐々に浸透した保水状態のドレン水を、その吸水性多孔ブロックの通気孔へ吸入・流通する上記送風ファンの空気による冷気として、エアコン室外機の上記熱交換器へ自づと積極的に引き込み接触させ得るように定めたことを特徴とする。
【００１５】
又、請求項２では吸水性多孔ブロックをビスコーススポンジやフローラルフォームなどの各種スポンジ、軟質ポリウレタンフォーム、その他の連続気泡構造の合成樹脂から直方体に成形すると共に、その成形品の全体に本質構造の気泡よりも大きな多数の通気孔をほぼ均一な分布状態に貫通形成したことを特徴とする。
【００１６】
請求項３では散らし導水プレートをステンレス鋼板や合成樹脂板、その他の発錆しない平滑な板材から、吸水性多孔ブロックの上面よりも小面積の大きさ・形状に作成することにより、管接手から据立て枠フレーム内の吸水性多孔ブロックに浸透するドレン水を、その吸水性多孔ブロックの左右横方向のみならず、前後方向並びに下方にも広く分散させて、エアコン室外機の熱交換器を全面的にすばやく冷却し得るように定めたことを特徴とする。
【００１７】
請求項４では据立て枠フレーム内の最上段に位置する吸水性多孔ブロックの上面へ、載置状態に介挿セットされる散らし導水プレートだけを、セーム革やその他の柔軟性がある吸水被膜により包み込んだことを特徴とする。
【００１８】
更に、請求項５では据立て枠フレームをステンレス鋼板やその他の防錆処理された金属板からほぼ四角形に組立一体化して、その正面を正面グリルにより覆う一方、
【００１９】
同じく枠フレームの背面へ背面グリルを着脱自在に取り付けることにより、その枠フレームに対する吸水性多孔ブロックと散らし導水プレートの出し入れや交換を行なえるように定めたことを特徴とする。
【考案の効果】
【００２０】
請求項１の上記構成によれば、複数の吸水性多孔ブロックと平滑な散らし導水プレートが収容された状態にある据立て枠フレームを、既設のエアコン室外機における送風ファンの吸気口側（風上側）へ、その室外機の熱交換器と隣接する並列状態に据え立て使用すれば良い。
【００２１】
そうすれば、エアコンの冷房運転中室内機からドレンホースを介して自づと落下するドレン水が、上記枠フレーム内の吸水性多孔ブロックへ導水プレートの分散作用を受けて、全体的に吸収・浸透した保水状態となり、上記送風ファンにより吸気口から吸水性多孔ブロックの通気孔を経て排気口へ流通する空気を冷却する。そして、そのドレン水による冷気が既存の上記送風ファンにより、室外機の熱交換器へ自づと積極的に引き込み接触される結果、その熱交換器の冷媒冷却能力を確実に向上させることができ、冒頭に述べた従来技術の課題が悉く改良されるのである。
【００２２】
エアコン室外機に内蔵されている既存の送風ファンと、エアコン室内機から建物の外部へ重力により落下するドレン水とを、そのまま活用したエアコン室外機の補助冷却器具であるため、特別なポンプやその他の給水動力源を初め、冒頭に述べた特許文献５の冷却装置における吸水シートと別個な水受け容器が不要となり、据え立て工事後の保守・点検作業並びにランニングコストなども不要である結果、一般家庭用として大いに役立つ。
【００２３】
その場合、請求項２の構成を採用するならば、軽量・安価な吸水性多孔ブロックを容易に入手することができ、しかもその合成樹脂から成形された直方体の全体へ、本質構造として具備した気泡よりも大きな多数の通気孔を貫通形成することにより、その通気孔を流通する送風ファンの空気が、上記吸水性多孔ブロックに保水されたドレン水を、熱交換器の言わば打ち水になる有効な冷気として、ロスなく引き込み接触させ得る効果があり、エアコン室外機の熱交換性能がますます向上する。
【００２４】
又、請求項３の構成を採用するならば、据立て枠フレームの上面中央部に位置する管接手から枠内へ落下するドレン水を、その散らし導水プレートにより左右横方向と前後方向並びに下方という三次元方向での異なる位置となる随所まで広く、しかも早く分配・波及させることができ、上記枠フレームがエアコン室外機の吸気口と同等か又はこれよりも大きなほぼ四角形をなすこととも相俟って、その室外機に内蔵されている熱交換器の全体を効率良く冷却し得る効果がある。そして、このような効果は請求項４を採用すれば、ますます向上する。
【００２５】
更に、請求項５の構成を採用するならば、据立て枠フレームの正面グリルと背面グリルにより、送風ファンの通気性を阻害することなく、その枠内に収容された吸水性多孔ブロックと散らし導水プレートとを、脱落不能に保つことができ、しかも経年的な使用中に万一吸水性多孔ブロックが破損したり、散らし導水プレートが変形したりしたような場合、これらを背面グリルの取りはずしによって、出し入れ・交換できる利便性もある。
【図面の簡単な説明】
【００２６】
【図１】本考案に係る補助冷却器具の据え立て使用状態を示す概略側面図である。
【図２】図１の部分拡大断面図である。
【図３】図２の３−３線断面図である。
【図４】補助冷却器具を示す斜面図である。
【図５】補助冷却器具の据立て枠フレームを抽出して示す斜面図である。
【図６】背面グリルを抽出して示す斜面図である。
【図７】吸水性多孔ブロックと散らし導水プレートとの位置関係を示す分解斜面図である。
【図８】吸水性多孔ブロックを抽出して示す斜面図である。
【図９】図８の９−９線に沿う拡大断面図である。
【考案を実施するための形態】
【００２７】
以下、図示の実施形態に基いて本考案の具体的構成を詳述すると、その一般家庭用エアコンの概略全体を示した図１において、（Ａ）は建物の壁面（１０）に取り付けられたエアコン室内機であり、蒸発器として働く熱交換器（１１）やこれからの凝縮水を受ける図外のドレンパン、室内へ冷気を吹き出す送風ファンなどを内蔵している。（１２）はその室内機（Ａ）のドレンパンからドレン水を室外へ排出するための可撓なドレンホースであり、通常建物の壁面（１０）に沿う垂下状態に配管される。
【００２８】
他方、（Ｂ）は上記室内機（Ａ）よりも低い位置の地面（Ｇ）やベランダ、その他の場所へ、据付け架台（１３）を介して固定設置されたエアコン室外機であり、その箱状のケーシング（１４）に凝縮器として作用する熱交換器（１５）やその冷媒を冷却する送風ファン（１６）、図外のコンプレッサーなどを内蔵している。（１７）（１８）はその室外機（Ｂ）のケーシング（１４）に開口形成された吸気口と排気口であって、言うまでもなく図外のグリルを具備しており、上記送風ファン（１６）の回転駆動時には、その吸気口（１７）から吸い込まれた外気が熱交換器（１５）を通って、排気口（１８）からケーシング（１４）の外部へ吐出されることになる。（１９）は上記室内機（Ａ）と室外機（Ｂ）とを連通接続する冷媒循環管路である。
【００２９】
本考案の補助冷却器具（Ｃ）は上記エアコン室外機（Ｂ）における送風ファン（１６）の吸気口（１７）側（風上側）へ、熱交換器（１５）と隣接する並列状態に据え立て使用されて、上記ドレンホース（１２）から受け入れたドレン水を室外機（Ｂ）の熱交換器（１５）へ、その送風ファン（１６）での冷気（Ｆ）として自づと引き込み接触させる働き（所謂打ち水作用）により、その熱交換器（１５）の冷媒冷却能力を向上させるためのものであり、図２〜９に示す構成を備えている。
【００３０】
即ち、エアコン室外機（Ｂ）の補助冷却器具（Ｃ）は主として、その室外機（Ｂ）の上記ケーシング（１４）に開口する吸気口（１７）と同等か又はこれよりも大きいほぼ四角形（例えば高さが約４６０mm×幅が約４７０mm×奥行が約５０mm）の剛性な据立て枠フレーム（２０）と、その枠フレーム（２０）の内部へ互いに同じ大きさ・形状の複数として、積み重なる並列状態に収容された吸水性多孔ブロック（２１）と、その最上段に位置する吸水性多孔ブロック（２１）の上面並びに隣り合う吸水性多孔ブロック（２１）同士の上下相互間へ各々介挿セットされた平滑な散らし導水プレート（２２）と、同じく吸水性多孔ブロック（２１）並びに散らし導水プレート（２２）が上記枠フレーム（２０）の内部から脱落することを防ぐ背面グリル（２３）とから成り立っている。
【００３１】
先ず、補助冷却器具（Ｃ）の据立て枠フレーム（２０）は上記奥行となる板幅（先に例示した約５０mm）を備えたステンレス鋼板やその他の防錆処理された金属板から、図５のようなほぼ四角形に組み立て一体化されており、その水平な上下両面（２０ａ）（２０ｂ）と垂直な左右両サイド面（２０ｃ）からは、各々前フランジ（２４ａ）（２４ｂ）（２４ｃ）が内向き直角に折り曲げられているほか、その下面（２０ｂ）だけからは後フランジ（２５ｂ）も内向き直角に折り曲げられることにより、その枠フレーム（２０）の下面（２０ｂ）が断面ほぼＵ字形のドレンパンとして、上記ドレン水を溜めることもできるようになっている。
【００３２】
（２６）は上記枠フレーム（２０）の正面（前側）を通気し得る状態に覆う正面グリルであり、上記吸水性多孔ブロック（２１）並びに散らし導水プレート（２２）がその枠フレーム（２０）の枠内から前側へ脱落することを防ぐ。その場合、図示実施形態ではステンレス鋼線から成る縦横交錯した格子状態の正面グリル（２６）を、上記枠フレーム（２０）の前フランジ（２４ａ）（２４ｂ）（２４ｃ）へスポット溶接しているが、上記趣旨を達成できる構成であるならば、その格子状態のステンレス鋼線に代る金網やメタルラス、リブラス、パンチングメタルなどから成る正面グリル（２６）を採用してもさしつかえない。
【００３３】
又、（２７）は同じく枠フレーム（２０）の下端部へスポット溶接などにより固着一体化された左右一対の取付脚座であって、左右対称なＬ字形などのステンレス鋼板から成り、その水平板片には左右横方向へ延在する楕円形のボルト受け入れ孔（２８）が各々開口形成されている。
【００３４】
更に、（２９）は上記ドレンホース（１２）の下端部と接続使用されるエルボ形の合成樹脂製管接手であって、枠フレーム（２０）における上面（２０ａ）の中央部へ差し込まれた上、その管接手（２９）の根元部付近から張り出す径大なストッパーフランジ（３０）と、同じく根元部の雄ネジ（３１）へ枠フレーム（２０）の枠内（下側）から螺合締結される固定ナット（３２）との上下一対により、上記枠フレーム（２０）の上面（２０ａ）へ挟み付け一体化されているが、その固定ナット（３２）を緩めて、管接手（２９）の先端部を３６０度の方向へ自由に首振り旋回したり、その管接手（２９）の先端部から上記ドレンホース（１２）を抜き取ったりすることも可能である。
【００３５】
次に、背面グリル（２３）は上記枠フレーム（２０）の背面（後側）をやはり通気できる状態に覆い、吸水性多孔ブロック（２１）と散らし導水プレート（２２）がその枠フレーム（２０）の枠内から後側へ脱落することを防ぐものであって、そのために図６のようなステンレス山形鋼の垂直な左右両サイド板片（３３）と、これらにスポット溶接されたステンレス鋼線の格子状仕切り桟（３４）とから成り、上記枠フレーム（２０）とほぼ対応する大きさの四角形として、その左右両サイド板片（３３）が枠フレーム（２０）の左右両サイド面（２０ｃ）へ、上下一対づつの固定ビス（セルフタッピングネジ）（３５）によって被覆状態に組み付けられている。
【００３６】
但し、その固定ビス（３５）を抜き取り、背面グリル（２３）を枠フレーム（２０）から取りはずすことによって、その枠フレーム（２０）に対する上記吸水性多孔ブロック（２１）と散らし導水プレート（２２）の出し入れや、その交換などの諸作業を行なうこともできる。（３６）は上記背面グリル（２３）の左右両サイド板片（３５）に開口分布するビス受け入れ孔（バカ孔）である。
【００３７】
又、上記補助冷却器具（Ｃ）の吸水性多孔ブロック（２１）は毛細管現象による吸水後も変形せず、保水機能を有するビスコーススポンジやポリビニルホルマール（ＰＶＦ）スポンジ、フローラルフォーム（園芸用保水材、商品名「オアシス」）などの各種スポンジ、軟質ポリウレタンフォーム、その他の連続気泡・多孔質の合成樹脂成形品（固形品）に、その本質構造の気泡よりも大きな多数の通気孔（３７）をほぼ均一な分布状態として特別に開口形成したものである。
【００３８】
このような吸水性多孔ブロック（２１）を図示実施形態では、図７〜９から明白なように、上記枠フレーム（２０）の枠内へ合計４段の積層状態に整然と収容できる大きさ・形状として、高さ（Ｈ）が約１１０mm×幅（Ｗ）が約４５０mm×奥行（Ｄ）が約４８mmの直方体に造形すると共に、口径（Ｓ）が約１２mmの円形通気孔（３７）を合計６０個だけ全体的な均一の分布状態に貫通形成しており、吸水性多孔ブロック（２１）に吸収・浸透したドレン水を、そのブロック（２１）の通気孔（３７）へ図１、２の矢印方向から吸入・流通する上記送風ファン（１６）の空気による冷気（Ｆ）として、室外機（Ｂ）の熱交換器（１５）へ自づと積極的に引き込み接触させ、所謂打ち水効果を発揮し得るようになっている。
【００３９】
更に、上記補助冷却器具（Ｃ）の散らし導水プレート（２２）は枠フレーム（２０）の上面中央部に存在する上記管接手（２９）から、その枠フレーム（２０）の内部へ受け入れ落下するドレン水を図３のように、吸水性多孔ブロック（２１）の左右横方向（幅方向）（Ｘ）へ広く分散させるためのものであって、ステンレス鋼板や合成樹脂板、その他の発錆しない平滑な板材から成るが、上記吸水性多孔ブロック（２１）の上面よりも小面積の大きさ・形状（図例では幅（ｗ）が約４００mm×奥行（ｄ）が約３０mm×厚み（ｔ）が約１mm）として、上記枠フレーム（２０）の上面（２０ａ）と最上段の吸水性多孔ブロック（２１）との上下相互間や、隣り合う吸水性多孔ブロック（２１）同士の上下相互間を完全に遮断せず、ドレン水が下方（高さ方向）（Ｚ）や前後方向（奥行方向）（Ｙ）にも部分的に流通・浸透して、上記室外機（Ｂ）に内蔵されている熱交換器（１５）との対応関係上、その熱交換器（１５）の全面を冷却し得る隅々まで早く行き渡るようになっている。
【００４０】
その場合、上記枠フレーム（２０）の上面（２０ａ）と、最上段の吸水性多孔ブロック（２１）との上下相互間に介在する散らし導水プレート（２２）だけは、これをセーム革やその他の柔軟性がある吸水被膜（３８）により包み込んで、上記ドレン水が吸水性多孔ブロック（２１）の左右横方向（幅方向）（Ｘ）へ、すばやく円滑に分散し得るように定めることが好ましい。ドレン水の少量でも有効に活用できるからである。
【００４１】
図４は上記補助冷却器具（Ｃ）の組立状態を示しており、これを組み立てるに当っては、上面（２０ａ）の中央部に上記管接手（２９）が予じめ差し込み固定された状態にある据立て枠フレーム（２０）の枠内へ、その背面（後側）から複数（図例の場合４段に積み重なる合計４個）の吸水性多孔ブロック（２１）と、その各個の上面ヘ載置することになる同じ複数の散らし導水プレート（２２）とを、差し込み収容させた後、上記枠フレーム（２０）の左右両サイド面（２０ｃ）へ背面グリル（２３）の左右両サイド板片（３３）を被着させて、複数の固定ビス（セルフタッピングネジ）（３５）により組み付ければ良い。
【００４２】
そうすれば、上記吸水性多孔ブロック（２１）と散らし導水プレート（２２）が悉く脱落しない収容状態に保たれる結果となり、その全体として軽量であるため、一般家庭への梱包・運搬や現場据え立て作業なども安楽に行なえる。
【００４３】
本考案の補助冷却器具（Ｃ）は上記した構成を備えており、その一般家庭での使用に当っては、図１〜３から明白なように、既存のエアコン室外機（Ｂ）が固定されている据付け架台（１３）の一部を活用して、例えばその架台（１３）から垂立させたアンカーボルト（３９）へ、その補助冷却器具（Ｃ）における据立て枠フレーム（２０）の取付脚座（２７）に開口しているボルト受け入れ孔（２８）を差し込んだ上、固定ナット（４０）を締結する方法やその他の適当な方法により、上記補助冷却器具（Ｃ）を室外機（Ｂ）における送風ファン（１６）の吸気側（風上側）へ、熱交換器（１５）と隣接する並列状態に据え立て固定し、その補助冷却器具（Ｃ）における枠フレーム（２０）の上面中央部に付属している管接手（２９）の先端部へ、エアコン室内機（Ａ）から建物の外部へ垂下しているドレンホース（１２）の下端部を、抜き差し自在に差し込み連通させるのである。
【００４４】
そうすれば、エアコンの冷房運転中に室内機（Ａ）の熱交換器（蒸発器）（１１）から発生するドレン水がドレンホース（１２）を経て、補助冷却器具（Ｃ）における枠フレーム（２０）の上面中央部に存在する管接手（２９）から落下し、その枠フレーム（２０）内の吸水性多孔ブロック（２１）へ徐々に吸収・浸透した保水状態となる。
【００４５】
その吸水性多孔ブロック（２１）の複数は図示実施形態の場合、合計４段の積層状態に整然と収容されているばかりでなく、その最上段に位置する吸水性多孔ブロック（２１）の上面と、隣り合う吸水性多孔ブロック（２１）同士の上下相互間には図２、３のように、その各吸水性多孔ブロック（２１）の上面よりも小面積の平滑な散らし導水プレート（２２）が、各々載置状態に介挿セットされているため、上記枠フレーム（２０）の上面中央部に存在する管接手（２９）から枠フレーム（２０）の内部へ落下したドレン水は、その落下位置（中央部）から散らし導水プレート（２２）によって、徐々に吸水性多孔ブロック（２１）の左右横方向（幅方向）（Ｘ）と前後方向（奥行方向）（Ｙ）並びに下方（高さ方向）（Ｚ）へ広く分散され、その三次元方向での異なる位置となる随所まで早く行き渡るのであり、エアコン室外機（Ｂ）が内蔵している熱交換器（１５）との対応関係上、その熱交換器（１５）の全面へ言わばドレン水が広く分配・波及された保水状態を得られることになる。
【００４６】
そして、上記補助冷却器具（Ｃ）は図１、２のように、エアコン室外機（Ｂ）における送風ファン（１６）の吸気口（１７）側（風上側）へ、その熱交換器（１５）と隣接する並列設置状態に据え立てられるため、上記枠フレーム（２０）内の吸水性多孔ブロック（２１）による全体的な保水状態のドレン水は、送風ファン（１６）により吸気口（１７）から吸水性多孔ブロック（２１）の通気孔（３７）を通じて排気口（１８）へ流動する空気を冷やすことになり、これが図１、２の矢印方向で示す冷気（Ｆ）として、室外機（Ｂ）の熱交換器（１５）へ自づと積極的に引き込み接触される結果、その言わば打ち水作用によって上記熱交換器（１５）の全体を短時間での効率良く冷却できるのである。
【００４７】
図示実施形態の場合、既設エアコン室外機（Ｂ）の据付け架台（１３）を部分的に活用して、これに補助冷却器具（Ｃ）の据立て枠フレーム（２０）を取り付け固定しているが、上記室外機（Ｂ）の据付け架台（１３）とは別個な専用の取付金具や架台（図示省略）を使って、補助冷却器具（Ｃ）を室外機（Ｂ）のケーシング（１４）へ取り付けたり、地面（Ｇ）などへ固定設置したりしても良い。
【００４８】
上記補助冷却器具（Ｃ）の枠フレーム（２０）に付属している管接手（２９）の先端部を、ドレンホース（１２）の下端部と連通接続する際には、その管接手（２９）の先端部を希望する方向へ旋回させることにより、その現場での接続作業を無理なく便利に行なえる。エアコンを冷房運転しない冬期には、そのドレンホース（１２）を上記管接手（２９）から抜き取ることもできる。
【００４９】
何れにしても、本考案の補助冷却器具（Ｃ）は既設のエアコン室外機（Ｂ）へ後付け使用することができ、室内機（Ａ）からのドレン水がありさえすれば足りるため、特別なポンプやその他の給水動力源は勿論のこと、据え立て工事後の保守・点検などの作業並びにランニングコストも一切不要であり、むしろ電気代を約１０％だけ安価にできるため、一般家庭向けのエアコン用として著しく優れる。尚、ドレン水が万一不足（乾燥）したような場合でも、上記据立て枠フレーム（２０）内の吸水性多孔ブロック（２１）へ人為的に水を補給して、支障なく便利に使用することができる。
【符号の説明】
【００５０】
（１０）・壁面
（１１）（１５）・熱交換器
（１２）・ドレンホース
（１３）・据付け架台
（１４）・ケーシング
（１６）・送風ファン
（１７）・吸気口
（１８）・排気口
（１９）・冷媒循環管路
（２０）・据立て枠フレーム
（２０ａ）・上面
（２０ｂ）・下面
（２０ｃ）・左右両サイド面
（２１）・吸水性多孔ブロック
（２２）・散らし導水プレート
（２３）・背面グリル
（２４ａ）（２４ｂ）（２４ｃ）・・前フランジ
（２５ｂ）・後フランジ
（２６）・正面グリル
（２７）・取付脚座
（２８）・ボルト受け入れ孔
（２９）・管接手
（３０）・ストッパーフランジ
（３１）・雄ネジ
（３２）・固定ナット
（３３）・左右両サイド板片
（３４）・仕切り桟
（３５）・固定ビス
（３６）・ビス受け入れ孔
（３７）・通気孔
（３８）・吸水被膜
（Ａ）・エアコン室内機
（Ｂ）・エアコン室外機
（Ｃ）・補助冷却器具
（Ｆ）・冷気
（Ｇ）・地面
【図１】
0003164501.tif 000003
【図２】
0003164501.tif 000004
【図３】
0003164501.tif 000005
【図４】
0003164501.tif 000006
【図５】
0003164501.tif 000007
【図６】
0003164501.tif 000008
【図７】
0003164501.tif 000009
【図８】
0003164501.tif 000010
【図９】
0003164501.tif 000011